(57)【要約】【課題】反射鏡の全面を用いることにより、配光制御の高効率化を図ることのできる照明器具を提供する。【解決手段】前面に開口２０２を有する灯具本体２０の内部にソケット２２を取り付け、ソケット２２に光源である片口金ランプ２１を装着する。ソケット２２は、灯具本体２０の開口２０２側に設けられている支持台２４１に取付けられているので、片口金ランプ２１は、反射鏡２３に貫通穴を設けることなく反射鏡２３の前方に取付けることができる。このため、反射鏡２３の全面を用いることができ、配光制御の高効率化を図ることができる。【選択図】図１
2010146974.tif 000002
【特許請求の範囲】
【請求項１】
光源である片口金ランプと、
前記片口金ランプが取付けられるソケットと、
前記片口金ランプの光を所定方向へ反射する反射鏡と、
前記片口金ランプおよび前記反射鏡を収容し開口を有する灯具本体と、
を備えた照明器具であって、
前記灯具本体の前記開口側に、前記ソケットを支持する支持台を設けたことを特徴とする照明器具。
【請求項２】
前記片口金ランプの発光部を、前記反射鏡の頂部に向かって配したことを特徴とする請求項１記載の照明器具。
【請求項３】
前記支持台を中空部材で形成し、前記中空部材の内部に給電用の電線を配設したことを特徴とする請求項１または２記載の照明器具。
【発明の詳細な説明】
【技術分野】
【０００１】
本発明は、例えばスポットライトとして使用するのに好適な照明器具に関するものである。
【背景技術】
【０００２】
図４に示すように、従来の照明器具１００は、器具本体１０１、案内板１０２、ランプ１０３、反射鏡１０４、ガイド１０５等を備えている。本体１０１の後部には、ランプ１０３を装着するソケット１０６が内蔵されている。本体１０１の前部の開口端縁には枠１０７が取付けられ、この枠１０７に前面ガラス１０８が取付けてある。本体１０１の後部の外側には、アーム（図示省略）が回動自在に取付けてある。
【０００３】
ランプ１０３は、器具本体１０１の後部に設けられているソケット１０６に装着され、反射鏡１０４の頂部に設けられている貫通穴１０９から反射鏡１０４の前方に突出して取付けられる。
【特許文献１】実開平５−８７７０３号公報（第１図）
【発明の開示】
【発明が解決しようとする課題】
【０００４】
しかしながら、前述したような従来の照明器具１００においては、反射鏡１０４にランプ１０３が貫通する貫通穴１０９が設けられているため、光学制御する範囲に死角ができ、反射効率が低下するという問題があった。
【０００５】
本発明は、従来の問題を解決するためになされたもので、反射鏡の全面を用いることにより、配光制御の高効率化を図ることのできる照明器具を提供することを目的とする。
【課題を解決するための手段】
【０００６】
本発明の照明器具は、光源である片口金ランプと、前記片口金ランプが取付けられるソケットと、前記片口金ランプの光を所定方向へ反射する反射鏡と、前記片口金ランプおよび前記反射鏡を収容し開口を有する灯具本体と、を備えた照明器具であって、前記灯具本体の前記開口側に、前記ソケットを支持する支持台を設けた構成を有している。
【０００７】
この構成により、前面に開口を有する灯具本体の内部にソケットを取り付け、ソケットに片口金ランプを装着する。ソケットは、灯具本体の開口側に設けられている支持台に取付けられているので、光源である片口金ランプは、反射鏡に貫通穴を設けることなく反射鏡の前方に取付けることができる。このため、反射鏡の全面を用いることができ、配光制御の高効率化を図ることができる。
【０００８】
また、本発明の照明器具は、前記片口金ランプの発光部を、前記反射鏡の頂部に向かって配した構成を有している。
【０００９】
この構成により、片口金ランプの発光部が反射鏡の頂部に向かうように片口金ランプを取付けることにより、ソケットおよび支持台がグレアカットの役割を果たすので、片口金ランプからの直射光がなくなり、眩しさを低減することができる。
【００１０】
さらに、本発明の照明器具は、前記支持台を中空部材で形成し、前記中空部材の内部に給電用の電線を配設した構成を有している。
【００１１】
この構成により、支持台を中空部材で形成するので温度条件が改善され、照明器具の小型化を図ることができる。また、中空部材の内部に給電用の電線を配設したので、外観が向上する。
【発明の効果】
【００１２】
本発明は、ソケットが灯具本体の開口側に設けられている支持台に取付けられているので、光源である片口金ランプは、反射鏡に貫通穴を設けることなく反射鏡の前方に取付けることができる。このため、反射鏡の全面を用いることができ、配光制御の高効率化を図ることができるという効果を有する照明器具を提供することができるものである。
【発明を実施するための最良の形態】
【００１３】
以下、本発明の照明器具の実施例について、図面を用いて説明する。
図１は本発明にかかる照明器具の実施例において水平方向に投光する状態を示す断面図、図２は下方へ投光する状態を示す断面図である。
【００１４】
図１および図２に示すように、本発明の実施例にかかる照明器具１０は、例えば天井や壁等の被取付部（図示省略）に取付けて、スポットライトとして使用することができる。照明器具１０は、例えば有底円筒形状の灯具本体２０を有している。灯具本体２０の内部には、片側にのみ口金を有する光源である片口金ランプ（以後、「ランプ」という。）２１と、ランプ２１が取付けられるソケット２２と、ランプ２１の光を所定の方向へ反射する反射鏡２３と、を備える。
【００１５】
図１は、水平方向へ投光する状態が示されている。図１に示すように、灯具本体２０の天板２０１の前端面には、灯具本体２０を支持するアーム２４が固定されている。アーム２４の下端部には、ソケット２２を支持する支持台２４１が設けられている。
【００１６】
従って、支持台２４１は、灯具本体２０の開口２０２の中央に位置することになる。支持台２４１に取付けられるソケット２２も開口２０２の中央に位置することになり、ランプ２１は灯具本体２０の内部に向かってソケット２２に取付けられる。このため、ランプ２１の発光部２１１は、灯具本体２０の内部に位置する。なお、ランプ２１としては、ハロゲンランプや、ＨＩＤ（High Intensity Discharge lamp）を用いることができる。
【００１７】
アーム２４における灯具本体２０の天板２０１より上方には、可動軸２４２が設けられており、灯具本体２０の旋回や上下の回動を可能としている。図１においては、アーム２４を可動軸２４２においてまっすぐに伸ばして、水平方向へ投光している。また、図２においては、可動軸２４２においてアーム２４を直角に屈曲させて、下方へ投光している。
【００１８】
図１に示すように、アーム２４の上端部には給電プラグ２５が設けられており、被取付部に取付けるとともに電力の供給を受ける。給電プラグ２５は、被取付部に配線ダクトレール（図示省略）を取付けて、移動可能に取付けることもできる。
【００１９】
アーム２４は、内部空間を有する筒状部材で形成されており、内部には給電プラグ２５とソケット２２とを接続する電線２４３が配線されている。
【００２０】
灯具本体２０の内部に設けられている反射鏡２３は、例えばパラボリック反射鏡を用いることができる。ランプ２１は、発光部２１１が反射鏡２３の頂部２３１に向かうように配され、発光部２１１が反射鏡２３の焦点位置に位置するように取付けられる。
従って、ランプ２１の発光部２１１から放射状（主に径方向）に発せられた光Ｌ１は、反射鏡２３で反射されて、水平光Ｌ２として投光される。
なお、ランプ２１は、灯具本体２０の開口２０２側から内部に向かって取付けられているため、反射鏡２３の頂部２３１には、従来設けられていたような貫通穴（図４参照）を設ける必要がない。
【００２１】
図２には、下向きに投光する場合が示されている。下向きに投光する場合には、ランプ２１が発する熱による上昇気流（図２中矢印で表示）が発生して、灯具本体２０の内部に流れる。図４に示したような従来の照明器具を用いて下方へ投光する場合には、上昇気流によりランプ１０３およびソケット１０６部分が高温となり、ランプ１０３の寿命を左右する封止部温度の上昇を招く。従って、封止部の温度上昇を防ぐため、放熱構造を配したり、器具を大きくしなければならないという問題があった。
【００２２】
しかし、図２に示すように、本発明の照明器具１０においては、上昇気流が発生しても、ランプ２１の封止部２１２が照明器具１０の底部（図２において底部）にあるため、上昇気流の影響を受けにくい。このため、封止部２１２の温度は、図２に示すように下方へ投光する場合でも、前述した図１に示すように水平方向へ投光する場合と同様の温度となり、下方へ投光するために灯具本体２０を大型化する必要がなく、コンパクト設計が可能になる。
【００２３】
以上、説明した本発明の実施例によれば、片側にのみ口金を有する片口金ランプ２１を装着するソケット２２が、灯具本体２０の開口２０２側に設けられている支持台２４１に取付けられているので、光源であるランプ２１は、反射鏡２３に貫通穴を設けることなく反射鏡２３の前方に取付けることができる。このため、反射鏡２３の全面を用いることができ、配光制御の高効率化を図ることができる。
【００２４】
また、ランプ２１の発光部２１１が反射鏡２３の頂部２３１に向かうようにランプ２１を取付けることにより、ランプ２１からの直射光はソケット２２および支持台２４１により遮られ、グレアカットの役割を果たすので、眩しさを低減することができる。
【００２５】
さらに、支持台２４１を中空部材で形成し、中空部材の内部に給電用の電線２４３を配設したので、温度条件が改善され、照明器具１０の小型化を図ることができる。また、中空部材の内部に給電用の電線２４を配線したので、外観が向上する。
【００２６】
なお、本発明の照明器具は、前述した実施例に限定されるものでなく、適宜な変形，改良等が可能である。
【００２７】
例えば、前述した実施例においては、支持台２４１を灯具本体２０の開口２０２側に設けるために、アーム２４を灯具本体２０の開口２０２側に設けた場合を例示したが、これに限らない。例えば、図３に示す照明器具１０Ｂのように、灯具本体２０の天板２０１から開口２０２の中心に向かって支持部材２６を設け、支持部材２６の先端（下端）に支持台２６１を設けてソケット２２を取付けることができる。これにより、アーム２４Ｂは、従来の照明器具と同様に、灯具本体２０の背面に取付けることができる。なお、ソケット２２に電力を供給する電線２４３は、アーム２４の内部を通って灯具本体２０の内部を通り、支持部材２６の内部を通って支持台２６１に配線するのが望ましい。
【００２８】
このようにしても、前述した照明器具１０と同様の作用・効果を得ることができる。なお、図３において、前述した照明器具１０と共通する部位には同じ符号を付して、重複する説明を省略することとする。
【図面の簡単な説明】
【００２９】
【図１】本発明にかかる照明器具の実施例において水平方向に投光する状態を示す断面図
【図２】本発明にかかる照明器具の実施例において下方へ投光する状態を示す断面図
【図３】実施例の変形例を示す断面図
【図４】従来の照明器具を示す断面図
【符号の説明】
【００３０】
１０  照明器具
２０  灯具本体
２０２  開口
２１  片口金ランプ（光源）
２１１  発光部
２２  ソケット
２３  反射鏡
２３１  頂部
２４１  支持台
２４３  電線
【図１】
2010146974.tif 000003
【図２】
2010146974.tif 000004
【図３】
2010146974.tif 000005
【図４】
2010146974.tif 000006